(57)【要約】【課題】庫内の有効内容積を広くし、消費電力を低減させ、使い勝手の良い冷蔵庫を提供する。【解決手段】冷蔵室と、この冷蔵室よりも下方に位置する冷凍室と、一つの蒸発器と、この蒸発器と熱交換した冷却空気を送風する一つの送風機と、送風された冷却空気の冷凍室への送風を制御する冷凍室用ダンパーユニットと、送風された冷却空気の冷蔵室への送風を制御する冷蔵室用ダンパーユニットとを備え、前記冷凍室用ダンパーユニットの冷却空気の吸込口が前記送風機と重ならず、送風機の回転中心軸よりも下に位置する冷蔵庫。【選択図】　図１
2004003710.tif 000002
【特許請求の範囲】
【請求項１】
冷蔵室と、この冷蔵室よりも下方に位置する冷凍室と、一つの蒸発器と、この蒸発器と熱交換した冷却空気を送風する一つの送風機と、送風された冷却空気の冷凍室への送風を制御する冷凍室用ダンパーユニットと、送風された冷却空気の冷蔵室への送風を制御する冷蔵室用ダンパーユニットとを備え、前記冷凍室用ダンパーユニットの冷却空気の吸込口が前記送風機と重ならず、送風機の回転中心軸よりも下に位置する冷蔵庫。
【請求項２】
請求項１において、冷凍室が、この冷凍室を正面から見て左右に区画する仕切壁と、この仕切壁により仕切られた冷凍室の左右どちらか一方の最上部に配置された製氷室又は急速冷凍室とを備え、冷凍室用ダンパーユニットが前記製氷室又は急速冷凍室への送風を制御するダンパーユニットである冷蔵庫。
【請求項３】
請求項１において、冷凍室が、この冷凍室を正面から見て左右に区画する仕切壁と、この仕切壁により仕切られた冷凍室の左右どちらか一方の最上部に配置される製氷室と、他方の冷凍室の最上部に配置される急速冷凍室とを備え、前記製氷室への送風を制御するダンパーユニットと、前記急速冷凍室への送風を制御するダンパーユニットとを、左右に並べて配置した冷蔵庫。
【請求項４】
請求項１乃至３のいずれかにおいて、冷凍室が、複数の収納容器と、この収納容器又は収納容器内部にダンパーユニットからの冷却空気を導入する冷気導入部と、前記ダンパーユニットと前記冷気導入部との間を繋ぎ、通路内の断面積が下流に行くほど小さくなる冷気吐出通路とを備えた冷蔵庫。
【請求項５】
冷蔵室と、冷凍室と、庫内空気を冷却する蒸発器と、この蒸発器と熱交換した冷却空気を送風する送風機と、前記冷蔵室へと送風される冷却空気の送風量を制御する冷蔵室用ダンパーユニットと、前記冷凍室へと送風される冷却空気の送風量を制御する冷凍室用ダンパーユニットとを備え、前期冷凍室が、製氷室又は急速冷凍室と、前記冷凍室用ダンパーユニットにより送風量が調整された冷却空気を導入する冷気導入部を有し、前記冷凍室用ダンパーユニットのダンパーが、その先端を前記冷気導入部に対向する角度で停止する冷蔵庫。
【請求項６】
請求項５において、冷凍室用ダンパーユニットが、その冷却空気の吸込口を送風機の回転中心軸よりも下に位置する冷蔵庫。
【請求項７】
冷蔵室と、冷凍室と、庫内空気を冷却する蒸発器と、この蒸発器と熱交換した冷却空気を送風する送風機と、前記冷蔵室へと送風される冷却空気の送風量を制御する冷蔵室用ダンパーユニットと、前記冷凍室へと送風される冷却空気の送風量を制御する冷凍室用ダンパーユニットとを備え、前記冷凍室が、この冷凍室を正面から見て左右に区画する仕切壁を有し、前記冷凍室用ダンパーユニット、この冷凍室用ダンパーユニットの駆動部の一部、又は冷凍室用ダンパーユニットの駆動部の全部を、前記仕切壁の冷凍室を正面から見た投影空間内に配置した冷蔵庫。
【発明の詳細な説明】
【０００１】
【発明の属する技術分野】
本発明は、冷蔵庫に関する。
【０００２】
【従来の技術】
従来の冷蔵庫は、例えば圧縮機の運転を停止した際に、冷凍室用のダンパーユニットを開いて、送風機を運転することにより、蒸発器に附着した霜を昇華させながら冷蔵室へと送風して冷蔵室の湿度を高くし、野菜その他の食品が水分を保持して鮮度を維持するようにしたものがある。
【０００３】
この従来の冷蔵庫は、冷凍室用のダンパーユニットが、送風機の前方（冷凍室の奥行方向）に配置されて、冷凍室内の全体に冷却空気が吹き出されるようになっている。このような冷蔵庫は、例えば特開２００１−２４１８２５号公報に記載されている。
【０００４】
【発明が解決しようとする課題】
しかしながら、前述した従来の冷蔵庫は、冷凍室用のダンパーユニットが、送風機の前方に配置されていることから、奥行き方向の寸法が大きくなり、冷凍室の庫内収納容積が小さくなってしまう。また、従来の冷蔵庫は、空気抵抗が増大することにより冷凍室への吐出風量が減少する可能性を有している。更に、従来の冷蔵庫は、冷凍室の空気循環制御を行うダンパーユニットが、送風機の前方にあるので、蒸発器にて冷却され冷却前よりも重くなった冷気を、一旦ダンパーユニットのダンパーよりも上方に位置するダンパーユニットの吸込口まで持ち上げるように送風する必要があり、送風機がその分だけ余計にエネルギーを必要とし、消費電力が大きくなる問題がある。
【０００５】
以上のことから本発明の第１の目的は、冷凍室の収納容積が小さくなるのを抑制し、更に、送風機の圧損を少なくし、消費電力量を低減した冷蔵庫を提供することにある。
【０００６】
また、上記従来の冷蔵庫は、冷凍室内全体に冷却空気が吹き出される構成のため、冷凍室の庫内容積を大きくした場合に、製氷時間を短縮すること、食品を短時間に冷凍することが困難である。本発明の第２の目的は、製氷又は食品をホームフリージングする際に、アイスメーカーや急速冷凍する部分へ冷たい冷却空気を集中的に吐出させることで短時間に製氷や食品のホームフリージングができる冷蔵庫を提供することにある。
【０００７】
更に、冷凍室の庫内容積を大きくした場合に、冷凍室内の温度分布を均一化するためには、冷気を冷凍室内に吐出する冷気吐出口を多く設けることにより解決する手法があるが、多くの冷気吐出口を設けると、冷凍室内部の有効内容積を狭めることになってしまう。
【０００８】
また、送風機からの距離が遠い冷気吐出口から吐出された冷気（複数ある冷気吐出口の中で下流にある冷気吐出口）は、通路抵抗により風量が減少すると共に、吐出流速が遅くなるため、複数の冷気吐出口を設けたとしても、冷凍室内の温度分布を十分に均一化できない可能性がある。
【０００９】
本発明の第３の目的は、複数の冷気吐出口を設けた場合、冷凍室庫内の有効内容積の減少を抑制し、下流の冷気吐出口からの吐出流速を上流の冷気吐出口からの吐出流速と大きく違わないようにして、冷凍室内の温度分布の均一化を図った冷蔵庫を提供することにある。
【００１０】
更にまた、ダンパーユニットを設けるとダンパーユニットの体積又はダンパーを駆動する駆動部の体積が冷蔵庫内をデットスペースとし、有効内容積を少なくする問題があった。本発明の第４の目的は、ダンパーユニット又はダンパーを駆動する駆動部が有効内容積を縮めないところに配置され有効内容積を大きくできる冷蔵庫を提供することにある。
【００１１】
即ち、本発明は、庫内の有効内容積を広くし、消費電力を低減させ、使い勝手の良い冷蔵庫を提供することを目的としている。
【００１２】
【課題を解決するための手段】
上記第１の目的は、冷蔵室と、この冷蔵室よりも下方に位置する冷凍室と、一つの蒸発器と、この蒸発器と熱交換した冷却空気を送風する一つの送風機と、送風された冷却空気の冷凍室への送風を制御する冷凍室用ダンパーユニットと、送風された冷却空気の冷蔵室への送風を制御する冷蔵室用ダンパーユニットとを備え、前記冷凍室用ダンパーユニットの冷却空気の吸込口が前記送風機と重ならず、送風機の回転中心軸よりも下に位置させることにより達成される。
【００１３】
即ち、上記構成を有した冷蔵庫は、冷凍室の収納容積が小さくなるのを抑制すると共に、重い冷気を送風機が上方に持ち上げるように送風する必要を無くして送風機の圧損を少なくし、消費電力量を低減している。
【００１４】
上記第２の目的は、冷凍室が、この冷凍室を正面から見て左右に区画する仕切壁と、この仕切壁により仕切られた冷凍室の左右どちらか一方の最上部に配置された製氷室又は急速冷凍室とを備え、冷凍室用ダンパーユニットが前記製氷室又は急速冷凍室への送風を制御するダンパーユニットであることで達成される。
【００１５】
このような構成を有した冷蔵庫は、蒸発器で冷却された冷たい空気を製氷室又は急速冷凍室に集中的に吹き付け、短時間に製氷又は食品のホームフリージングを行うことができる。
【００１６】
また、第２の目的は、冷凍室が、この冷凍室を正面から見て左右に区画する仕切壁と、この仕切壁により仕切られた冷凍室の左右どちらか一方の最上部に配置される製氷室と、他方の冷凍室の最上部に配置される急速冷凍室とを備え、前記製氷室への送風を制御するダンパーユニットと、前記急速冷凍室への送風を制御するダンパーユニットとを、左右に並べて配置することでも達成することができる。このような構成の冷蔵庫では、ダンパーユニットを左右方向に並べて配置したことで、冷凍室の最上部に配置された製氷室及び急速冷凍室のいずれにも送風機からの距離が短くなり、送風機からの冷却空気を短い距離で集中的に供給できることにより、より短時間に冷凍することができる。
【００１７】
また、第２の目的は、冷蔵室と、冷凍室と、庫内空気を冷却する蒸発器と、この蒸発器と熱交換した冷却空気を送風する送風機と、前記冷蔵室へと送風される冷却空気の送風量を制御する冷蔵室用ダンパーユニットと、前記冷凍室へと送風される冷却空気の送風量を制御する冷凍室用ダンパーユニットとを備え、前期冷凍室が、製氷室又は急速冷凍室と、前記冷凍室用ダンパーユニットにより送風量が調整された冷却空気を導入する冷気導入部を有し、前記冷凍室用ダンパーユニットのダンパーが、その先端を前記冷気導入部に対向する角度で停止させることで達成することができる。
【００１８】
即ち、このような冷蔵庫では、製氷又は食品をホームフリージングする際に、ダンパーの先端が冷却空気の冷気導入部の先端に対向させて、ダンパーユニットの吸込口を経由した多くの冷却空気を集中的に吹き付け、短時間で製氷又は冷凍することができる。
【００１９】
更に、第２の目的は、冷凍室用ダンパーユニットが、その冷却空気の吸込口を送風機の回転中心軸よりも下に位置させることで、蒸発器で冷却された重たい冷却空気を送風機で持ち上げることなくスムーズに送風できる。
【００２０】
上記第３の目的は、冷凍室が、複数の収納容器と、この収納容器又は収納容器内部にダンパーユニットからの冷却空気を導入する冷気導入部と、前記ダンパーユニットと前記冷気導入部との間を繋ぎ、通路内の断面積が下流に行くほど小さくなる冷気吐出通路とを備えることで達成される。
【００２１】
即ち、このような構成の冷蔵庫は、冷気吐出通路内が下流に行くほど狭いことで冷気吐出通路内の流速が低下するのを防ぎ、かつ、各段の貯蔵食品を入れる容器又は棚上に流速の速い風を流入させるために、容器毎又は収納空間毎に冷却空気を導入するための冷気導入部を設け、冷気導入部を境に風量が減じる分冷気吐出通路を狭めるようにする。これにより冷却空気の流速の低下を抑制できる。そして、冷気吐出通路を狭めた分、冷凍室内の奥行きを広くして有効内容積を大きくすることもできる。
【００２２】
第４の目的は、冷蔵室と、冷凍室と、庫内空気を冷却する蒸発器と、この蒸発器と熱交換した冷却空気を送風する送風機と、前記冷蔵室へと送風される冷却空気の送風量を制御する冷蔵室用ダンパーユニットと、前記冷凍室へと送風される冷却空気の送風量を制御する冷凍室用ダンパーユニットとを備え、前記冷凍室が、この冷凍室を正面から見て左右に区画する仕切壁を有し、前記冷凍室用ダンパーユニット、この冷凍室用ダンパーユニットの駆動部の一部、又は冷凍室用ダンパーユニットの駆動部の全部を、前記仕切壁の冷凍室を正面から見た投影空間内に配置することで達成される。
【００２３】
即ち、ダンパーユニット又はダンパーを駆動する駆動部を有効内容積を縮めない仕切部材の投影面積内に配設したことにより、有効内容積を大きく出来る。
【００２４】
【発明の実施の形態】
以下、本発明の詳細を図に示す実施の形態で説明する。図１は本発明の第１の実施例を示す冷蔵庫のダンパーユニットの配置を示す概略要部正面図である。図２は本発明の第１・第２の実施例の冷蔵庫の冷凍室の扉を開放した状態の正面図である。図３ａは図１のＩＩＩａ−ＩＩＩａ断面図であり冷凍室用である第２のダンパーユニット周囲の構成を示す。図３ｂは図１のＩＩＩｂ−ＩＩＩｂ断面図であり製氷室上流側に配置された第三のダンパーユニット周囲の構成を示す。図４は図１に示す第１及び第２のダンパーユニット等の関係を示す縦断面図である。図５は本発明の第２の実施例の冷蔵庫の各仕切部材と各ダンパーユニットの駆動部との関係を示す概略正面図である。図６は第１・第２の実施例に共通して左右に区画された冷凍室の縦仕切部材に設けた貫通穴を示す概略要部断面正面図である。図７は第１・第２の実施例に共通して左右に区画された冷凍室の縦仕切部材に設けた貫通穴を示す要部縦断面図である。
【００２５】
各図において、１は冷蔵庫、２は冷蔵室、３は右側冷凍室、４は左側冷凍室、５は冷蔵室用ダンパーユニット（第一のダンパーユニット）、６は冷凍室用ダンパーユニット（第二のダンパーユニット）であるが主として右側冷凍室３の上方に位置する急速冷凍コーナー１７への冷却空気の吐出量を制御している。６ａはダンパーユニット６の吸込口で、６ｂはダンパーである。７は同じく冷凍室用のダンパーユニット（第三のダンパーユニット）であり、主として左側冷凍室４の上方に位置するアイスメーカーコーナー１８への冷却空気の吐出量を制御している。７ａはダンパーユニット７の吸込口で、７ｂはダンパーである。又、ダンパーユニット６および７は冷凍室内に設置された温度センサーの働きと扉に設けた（図示せず）温度制御操作パネルの指示により、各々の冷凍室の温度制御も行なっている。
【００２６】
８は蒸発器、９は冷却空気を循環させる送風機、１０は冷蔵室用冷気通風路、１１は冷蔵室用戻り冷気通風路、１２は冷凍室用戻り冷気通風路、１３は野菜室、１４は冷凍室を左右に分割する冷凍室縦仕切部材、１５は冷凍室温度を感知するセンサー、１６は横仕切部材、１７は急速冷凍コーナー、１８はアイスメーカーコーナー、１９は冷凍室食品収納容器である。２０は圧力室で、送風機９の羽根９ａが収納されており、且つ上記各ダンパーユニット５、６、７の冷却空気吸入口が開口している。２１及び２３は冷気吐出通路、２１ａ及び２３ａは冷気導入部で、冷気吐出通路２１又は２３に一体に形成されており、冷気吐出通路２１又は２３に流れる冷気を効率よく導入するためのものである。２２及び２４は冷気吐出口、２５は圧縮機である。
【００２７】
図２に示すように、本願発明の実施例である冷蔵庫１は、上方より冷蔵室２、野菜室１３、冷凍室を備えており、冷凍室は、右側冷凍室３と左側冷凍室４とに分かれ、その内部に冷凍室食品収納容器１９を複数配置している。また、右側冷凍室３の最上段には、急速冷凍コーナー１７を設置し、左側冷凍室４の最上段には、アイスメーカーコーナー１８を設置している。更に、庫内の温度差が大きい野菜室１３と冷凍室との間には、断熱材である横仕切部材１６を配置している。
【００２８】
図１は、第１の実施例を示す冷蔵庫のダンパーユニットの配置を示す概略要部正面図であり、羽根９ａを備えた送風機９の回転中心軸よりも下方に冷凍室用ダンパーユニット６、７を備えている。蒸発器８により冷却された冷却空気は、送風機９が旋回することにより、冷気吐出通路２１、２３を通過して冷凍室へと流入し、特に冷却吐出通路２３を通過した冷気は、アイスメーカーコーナー１８（図２参照）へと集中的に冷気を供給する。冷凍室を冷却した空気は、冷凍室用戻り冷気通風路１２より流入し、蒸発器８にて再び冷却され循環する。尚、冷蔵室用ダンパーユニット５は、冷凍室よりも上に設置されている冷蔵室２及び野菜室１３（図２参照）へと冷却空気を供給する。
【００２９】
このものにおいて急速に製氷する場合は、冷蔵室用ダンパーユニット５を閉め、冷蔵室２のプラス温度の冷却空気が循環しないようにし、同時に急速冷凍コーナー１７に冷却空気を送風するダンパーユニットも閉じて、アイスメーカーコーナー１８へと冷却空気を送風するダンパーユニットのみ開くようにする。このようにすると、蒸発器８で冷却された約マイナス２７℃の冷却空気が、直接集中的に製氷皿１８ａに吹付けられるので、製氷皿１８ａの表面熱伝達率が上昇し、素早く熱を奪い製氷時間が短縮される。又同様に、素早く冷凍したい貯蔵品がある場合には、冷蔵室用ダンパーユニット５と冷凍室用ダンパーユニット７を閉じて、急速冷凍コーナー１７へと冷却空気を送風する冷凍室用ダンパーユニット６を開けることで、ホームフリージングの時間が短かくなり、短時間で冷凍食品を作ることができる。
【００３０】
更に、冷凍室用ダンパーユニット６、７の冷却空気の吸込口を、図１及び図３に示すように、送風機９の羽根９ａの中心より下になるように配設することにより、蒸発器８で冷却され重くなった空気を上方に押し上げる（持ち上げる）ように送風する必要がなくなり、送風機９の圧損が少なくなってエネルギーを要せず、消費電力量を低減した冷蔵庫を提供することができる。また、冷凍室用ダンパーユニット６の冷却空気の吸込口が前記送風機９と重ならないことにより、その分だけ冷凍室の奥行きが小さくなるのを抑制できるので、冷凍室の収納容積が小さくなるのを抑制できる。
【００３１】
また、図１に示す冷蔵庫は、急速冷凍コーナー１７及びアイスメーカーコーナー１８への冷気の流れを独立して調整するダンパーユニットを夫々設け、このダンパーユニットを左右方向に並べて配置することによって、冷凍室の最上部に配置された急速冷凍コーナー１７又はアイスメーカーコーナー１８のいずれにも送風機９からの距離が短くなり、送風機９からの冷却空気をいずれのコーナーの上方部分にも短い距離で集中的に供給できることにより、より短時間に製氷や食品のホームフリージングができる。
【００３２】
図３（ａ）を用いて、冷凍室用ダンパーユニット６について詳細に述べると、ダンパー６ｂは、急速冷凍運転する場合に、急速冷凍コーナー１７へと冷却空気を導く冷気導入部２１ａと、その先端が対向して近接するように位置する。また、冷気導入部２１ａと冷凍室用ダンパーユニット６との位置関係は、ダンパー６ｂの支点が風上になるように配置し、冷凍室用ダンパーユニット６のダンパー６ｂの開度を選択することにより、例えば実施例ではダンパー６ｂの開度を約４５°位下方に傾斜する位置で冷気導入板２１ａとダンパー６ｂの先端が対向して近接させることで、冷凍室用ダンパーユニット６の吸込口６ａに入った冷却空気のほぼ全てが冷気導入部２１ａを介して冷気吐出口２２より急速冷凍コーナー１７に吐出される。
【００３３】
また、図３（ｂ）を用いて、冷凍室用ダンパーユニット７について詳細に述べると、ダンパー７ｂは、急速冷凍運転する場合に、製氷皿１８ａとへと冷却空気を導く冷気導入部２３ａと、その先端が対向して近接するように位置する。また、冷気導入部２３ａと冷凍室用ダンパーユニットとの位置関係は、ダンパー７ｂの支点が風上になるように配置し、ダンパー７ｂの開度を選択することにより、冷凍室用ダンパーユニット７の吸込口７ａに入った冷却空気のほぼ全てが冷気導入部２３ａを介して冷気吐出口２４よりアイスメーカーコーナー１８に吐出される。　このように、冷凍室内にアイスメーカーの配置されたアイスメーカーコーナー１８又は急速冷凍コーナー１７と、冷凍室用ダンパーユニットからの冷却空気を導入するための冷気導入部２１ａ又は２３ａとを有し、冷凍室用ダンパーユニット６又は７がアイスメーカーコーナー１８又は急速冷凍コーナー１７への送風を調整し、冷凍室用ダンパーユニット６及び７のダンパー６ｂ及び７ｂの開閉角度が調整若しくは選択可能であり、これらのダンパーの先端が前記冷気導入部２１ａ又は２３ａの先端に対向して近接するように開閉角度が調整若しくは選択される構成にしたことにより、製氷又は食品をホームフリージングする際に、ダンパーの先端が前記冷却空気の冷気導入部の先端に対向させて、ダンパーユニットの吸込口を経由した多くの冷却空気を集中的に吹き付けるようにして短時間で製氷又は冷凍させることができる。
【００３４】
図４は、冷蔵室用ダンパーユニットと、冷凍室用ダンパーユニットとの位置関係を示す、冷蔵庫の縦断面図である。急速冷凍コーナー１７の下に位置する右側冷凍室３の各冷凍室食品収納容器１９に流速の速い冷却空気を送り込む場合には、冷凍室用ダンパーユニット６を全開にして、冷凍室用ダンパーユニット６の下に継がる冷気吐出通路２１を、下流に行くほどに通路の断面積を狭くして冷気吐出通路２１内の風速が低下するのを防ぐ。即ち、各冷凍室食品収納容器１９には、流速の速い冷却空気を流入させるために、冷気吐出通路２１の各冷凍室食品収納容器への冷気吐出口２２毎に冷却空気の冷気導入部２１ａを設け、各冷気導入部２１ａを境に風量が減じた分通路を狭めるようにする。尚、冷気吐出通路２１を下流に行くにつれて狭めた分右側冷凍室内を広くし有効内容積を広げて容器の内容積も大きくする。
【００３５】
図５は、本発明の第２の実施例を示す、冷蔵庫の各仕切部材と各ダンパーユニットの駆動部との関係を示す概略正面図である。各ダンパーユニット５、６、７の駆動部は、冷蔵室２と野菜室１３とを区画する横仕切部材１６、及び、右側冷凍室３と左側冷凍室４とを区画する冷凍室縦仕切部材１４の、冷蔵庫１を正面から見た際の投影面積内に配置したり、図３に示すように、冷蔵庫１を正面から見た際の製氷皿１８ａの投影面積内に配置したりすることで、各ダンパーユニットの庫内への出っ張りを少なくし、有効内容積を大きくできるようにしている。
【００３６】
図６及び図７に示すように、冷凍室縦仕切部材１４は、貫通孔１４ａを備えており、この貫通孔１４ａに冷凍室内の庫内温度制御を行う際に用いる温度測定用のセンサー１５を有してる。センサー１５は、貫通孔１４内に設置されていることから、左右の冷凍室にて共用化することができ、部品点数を低減することで製造コストを下げることができると共に、左右の冷凍室温度の均一化を図れる。
【００３７】
図３ａに示す急速冷凍コーナー１７が優先の冷凍室用ダンパーユニット６と、図３ｂに示すアイスメーカーの冷却が優先の冷凍室用ダンパーユニット７とを配置して、各ダンパーユニットの下方にアイスメーカーコーナー１８及び急速冷凍コーナー１７を配置したので、各々の通風路を最短で簡単な構造で継ぐことが出来たので部品代が安く組立も短時間で出来る、安い冷蔵庫を提供することができる。
【００３８】
以上詳細に説明したように、各実施例によれば、急速に冷却したい部屋のダンパーユニットを開き他の部屋のダンパーユニットを閉じる方式により、冷却空気が集中的に吐出されるので風量が増加し、表面熱伝達率が大きくなり早く冷やすことができ、製氷時間が短かくなり、又ホームフリージングの時間も短かくなる。そして、ホームフリージングの時間が短いことによって、食品は、その美味しさを従来よりも増した状態でホームフリージングでき、保存期間も長くできる。
【００３９】
また、急速冷凍コーナーやアイスメーカーコーナーへの冷却空気を吐出するダンパーユニットは、送風機の羽根の中心より低い位置に配設したので、蒸発器で冷却された重たい冷却空気を送風機で持ち上げることなく、スムーズに冷凍室へと流入し、送風機がその分エネルギーを使う必要がなくなって省電力化できる。
【００４０】
冷却空気が流れる通路は、下流に行くほどその通路断面積が小さくなるようにしたことにより、各冷凍室食品収納容器又は棚上に風速の劣ることがない冷却空気を吐出することができ、各容器を均一に冷却することができる。
【００４１】
各部屋へ吐出する風量を加減するダンパーユニットの駆動部は、冷蔵庫の各部屋の間仕切部材の投影面内に配置し、若しくはアイスメーカーが優先のダンパーユニットの駆動部を冷蔵庫の前方から見て、アイスメーカーの投影面積内に配置したので、ダンパーユニットの駆動部が冷凍庫内の空間を小さくするのを抑制でき、その分冷蔵庫内の有効内容積を大きくできる。
【００４２】
【発明の効果】
本発明によれば、庫内の有効内容積を広くし、消費電力を低減させ、使い勝手の良い冷蔵庫を提供することができる。
【図面の簡単な説明】
【図１】本発明の一実施の形態を示す冷蔵庫の各部屋用のダンパーユニット配置図。
【図２】本発明の一実施の形態を示す冷蔵庫の冷凍室の扉を開放した正面図。
【図３】本発明の一実施の形態を示す急速冷凍コーナー用ダンパーユニット収納部の縦断面図。
【図４】本発明の一実施の形態を示す冷蔵庫の縦断面図。
【図５】本発明の一実施の形態を示す各部屋の間仕切と各ダンパーユニット駆動部の設置場所を示す要部正面図。
【図６】本発明の一実施の形態を示す冷凍室の縦仕切板に設けた貫通穴を示す要部断面視図。
【図７】本発明の一実施の形態を示す冷凍室の縦仕切板に貫通穴を設けた要部縦断面図
【符号の説明】
１…冷蔵庫、２…冷蔵室、３…右側冷凍室、４…左側冷凍室、５…冷蔵室用ダンパーユニット、６…冷凍室用ダンパーユニット、６ａ…吸込口、６ｂ…ダンパー、７…冷凍室用ダンパーユニット、７ａ…吸込口、７ｂ…ダンパー、８…蒸発器、９…送風機、１０…冷蔵室用冷気通風路、１１…冷蔵室用戻り冷気通風路、１２…冷凍室用戻り冷気通風路、１３…野菜室、１４…冷凍室縦仕切部材、１５…センサー、１６…横仕切部材、１７…急速冷凍コーナー、１８…アイスメーカーコーナー、１８ａ…製氷皿、１９…冷凍室食品収納容器、２０…圧力室、２１・２３…冷気吐出通路、２１ａ・２３ａ…冷気導入部、２２・２４…冷気吐出口、２５…圧縮機、
【図１】
2004003710.tif 000003
【図２】
2004003710.tif 000004
【図３】
2004003710.tif 000005
【図４】
2004003710.tif 000006
【図５】
2004003710.tif 000007
【図６】
2004003710.tif 000008
【図７】
2004003710.tif 000009